(57)【要約】【課題】  キャパシタカップリングによるクロストークを防ぎ，画質を改善する。【解決手段】  複数の行と列に配列され，それぞれが第１電極２１２と，第２電極２２１と，第１電極と第２電極との間の液晶３００とを備える複数の画素を含む液晶表示装置の駆動方法であって，奇数番目の列に配列された画素の第１電極と偶数番目の列に配列された画素の第１電極には，互いに反対極性を有する電圧信号が供給され，第２電極には，同一極性の電圧信号が供給され，上記複数の画素は，上記第１および第２電極に供給される電圧信号によって一定区間の間に列単位で反転駆動されることを特徴とする，液晶表示装置の駆動方法が提供される。【選択図】    図６Ａ
2005234544.tif 000002
【特許請求の範囲】
【請求項１】
複数の行と列に配列され，それぞれが第１電極と，第２電極と，第１電極と第２電極との間の液晶とを備える複数の画素を含む液晶表示装置の駆動方法であって：
前記複数の画素の中から，奇数番目の列に配列された画素の第１電極と偶数番目の列に配列された画素の第１電極には，互いに反対極性を有する電圧信号が供給され，
前記複数の画素の中から，奇数番目の列に配列された画素の第２電極と偶数番目の列に配列された画素の第２電極には，同一極性の電圧信号が供給され，
前記複数の画素は，前記第１および第２電極に供給される電圧信号によって一定区間の間に列単位で反転駆動されることを特徴とする，液晶表示装置の駆動方法。
【請求項２】
前記一定区間は，１フレームであり，
前記１フレームの間に，奇数番目の列に配列された画素の第１電極と偶数番目の列に配列された画素の第１電極には，互いに反対極性を有するデータ電圧が供給され，奇数番目の列および偶数番目の列に配列された画素の第２電極には，直流レベルの共通電圧が供給されることを特徴とする，請求項１に記載の液晶表示装置の駆動方法。
【請求項３】
前記一定区間は１フレームであり，該１フレームは少なくとも２以上のフィールドに分割され，
前記１フィールドの間に，奇数番目の列に配列された画素の第１電極と偶数番目の列に配列された画素の第１電極には，互いに反対極性を有する電圧信号が供給され，奇数番目の列および偶数番目の列に配列された画素の第２電極には，同一極性を有する電圧信号が供給されることを特徴とする，請求項１に記載の液晶表示装置の駆動方法。
【請求項４】
前記奇数番目の列および偶数番目の列に配列された画素の第２電極に供給される同一極性を有する電圧信号は，直流レベルの共通電圧であることを特徴とする，請求項３に記載の液晶表示装置の駆動方法。
【請求項５】
隣接する２つのフィールドで同一の奇数番目の列，または同一の偶数番目の列に配列された画素は，第１電極に互いに反対極性を有するデータ電圧が供給され，同一の奇数番目の列，または偶数番目の列に配列された画素の第２電極には，直流レベルの共通電圧が供給されることを特徴とする，請求項４に記載の液晶表示装置の駆動方法。
【請求項６】
前記複数の画素は，Ｒ，Ｇ，ＢまたはＷから選択された複数の色で実現されることを特徴とする，請求項５に記載の液晶表示装置の駆動方法。
【請求項７】
隣接する２つのフィールドで同一の奇数番目の列，または同一の偶数番目の列に配列された画素は，第１電極に互いに反対極性を有する電圧信号が供給され，第２電極に同一極性の電圧信号が供給されることを特徴とする，請求項３に記載の液晶表示装置の駆動方法。
【請求項８】
前記一定区間は１フレームであり，該１フレームは少なくとも二つ以上のサブフレームに分割され，
前記１サブフレームの間に，複数の画素の中から奇数番目の列に配列された画素の電極第１電極と偶数番目の列に配列された画素の第１電極には，互いに反対極性を有する電圧信号が供給され，奇数番目の列および偶数番目の列に配列された画素の第２電極には，同一極性の電圧信号が供給され，
前記複数の画素は，前記第１電極と第２電極に供給される電圧信号によって各サブフレームことに列単位で反転駆動されることを特徴とする，請求項１に記載の液晶表示装置の駆動方法。
【請求項９】
前記奇数番目の列および偶数番目の列に配列された画素の第２電極に供給される同一極性を有する電圧信号は，直流レベルの共通電圧であることを特徴とする，請求項８に記載の液晶表示装置の駆動方法。
【請求項１０】
前記複数の画素は，Ｒ，Ｇ，ＢまたはＷから選択された複数の色で実現されることを特徴とする，請求項８に記載の液晶表示装置の駆動方法。
【請求項１１】
複数の列と列に配列され，それぞれの第１電極と，第２電極と，第１電極と第２電極との間の液晶とを含み，１フレームを構成する複数のサブフレーム毎に順に駆動される複数の画素を備え，各画素は，サブフレーム毎に該当する一つの色を表示し，１フレームの間に所定の色を表現する液晶表示装置の駆動方法であって：
同一の奇数番目の列，または同一の偶数番目の列に配列された画素は，第１電極に隣接したサブフレーム間で，互いに反対極性を有する電圧信号が供給され，第２電極に同一レベルを有する電圧信号が供給され，
奇数番目の列に配列された画素と偶数番目の列に配列された画素は，第１電極に同一サブフレーム内で互いに反対極性を有する電圧信号が供給され，第２電極に同一レベルの電圧信号が供給されることを特徴とする，液晶表示装置の駆動方法。
【請求項１２】
同一のサブフレーム内に，前記奇数番目の列および偶数番目の列に配列された画素の第２電極に供給される同一極性を有する電圧信号は，直流レベルの共通電圧であることを特徴とする，請求項１１に記載の液晶表示装置の駆動方法。
【請求項１３】
隣接したサブフレームで，同一の奇数番目の列に配列された画素の第１電極，または同一の偶数番目の列に配列された画素の第２電極に供給される同一レベルを有する電圧信号は，直流レベルの共通電圧であることを特徴とする，請求項１１に記載の液晶表示装置の駆動方法。
【請求項１４】
複数の画素は，１サブフレームの間に，Ｒ，Ｇ，ＢまたはＷから選択された複数の色で実現されることを特徴とする，請求項１１に記載の液晶表示装置の駆動方法。
【請求項１５】
複数の列と列に配列され，それぞれは第１電極，第２電極および第１電極と第２電極との間の液晶を備え，それぞれ一定区間の間に所定の色を表現する複数の画素を含む液晶表示装置の駆動方法であって：
前記一定区間は，Ｒ色を表示するためのＲサブフレーム，Ｇ色を表示するためのＧサブフレーム，Ｂ色を表示するためのＢサブフレームを備え，
Ｒ，Ｇ，Ｂのサブフレーム毎に前記複数の画素の中から奇数番目の列に配列された画素の第１電極と偶数番目の列に配列された画素の第１電極には，互いに反対極性を有するＲ，Ｇ，Ｂのデータ電圧が供給され，
Ｒ，Ｇ，Ｂのサブフレーム毎に前記奇数番目の列に配列された画素の第２電極と偶数番目の列に配列された画素の第２電極には，同一レベルの直流共通電圧が供給され，
前記複数の画素は，サブフレーム毎に第１電極に供給されるＲ，Ｇ，Ｂのデータ電圧と第２電極に供給される共通電圧によって列単位で反転駆動されることを特徴とする，液晶表示装置の駆動方法。
【請求項１６】
隣接したサブフレームで，同一の奇数番目の列に配列された画素の第１電極，または同一の偶数番目の列に配列された画素の第１電極には，互いに反対極性を有するＲ，Ｇ，Ｂのデータ電圧の中から該当するデータ電圧が供給され，第２電極には直流レベルの共通電圧が供給されることを特徴とする，請求項１５に記載の液晶表示装置の駆動方法。
【請求項１７】
複数の列と列に配列された複数の画素を含み，
前記複数の画素は，それぞれの下部基板上に配列された第１電極と，上部基板上に形成された第２電極と，前記上，下部基板との間の液晶を備える複数の液晶セルと，前記複数の液晶セルを駆動するための少なくともソース／ドレイン電極を備えるスイッチングトランジスタと，を含み，
前記液晶セルの第１電極は，前記スイッチングトランジスタのソース／ドレイン電極のいずれか一方に接続され，
前記第２電極は，前記上部基板上に前面電極形態に形成され，
同一のサブフレーム内で前記複数の液晶セルの中から奇数番目の列に配列された液晶セルの第１電極と偶数番目の列に配列された液晶セルの第１電極には，互いに反対極性を有する電圧信号が供給され，第２電極には同一極性を有する電圧信号が供給され，
前記複数の液晶セルは，サブフレーム毎に第１電極と第２電極に供給される電圧信号によって列単位で反転駆動されることを特徴とする，液晶表示装置。
【請求項１８】
前記同一のサブフレーム内で，前記奇数番目の列および偶数番目の列に配列された画素の第２電極に供給される同一極性を有する電圧信号は，直流レベルの共通電圧であることを特徴とする，請求項１７に記載の液晶表示装置。
【請求項１９】
隣接するサブフレームで，複数の画素の中から奇数番目の列に配列された画素，または偶数番目の列に配列された画素は，第１電極に互いに反対極性を有するデータ電圧が供給され，第２電極に同一レベルの直流共通電圧が供給されることを特徴とする，請求項１７に記載の液晶表示装置。
【発明の詳細な説明】
【技術分野】
【０００１】
本発明は，コラム（ｃｏｌｕｍｎ）反転駆動方式を利用した液晶表示装置にかかり，さらに詳細には，キャパシタカップリングによるクロストークを改善可能なフィールド順次駆動方式の液晶表示装置およびそれを駆動する方法（ＬＣＤ  ａｎｄ  ｄｒｉｖｉｎｇ  ｍｅｔｈｏｄ  ｔｈｅｒｅｏｆ）に関する。
【背景技術】
【０００２】
フィールド順次駆動方式の液晶表示装置は，Ｒ，Ｇ，Ｂのカラーフィルタを備えて画面の上端から下端に向かって順次に走査するカラーフィルタ方式の液晶表示装置とは異なり，一つの画素に対するＲ，Ｇ，Ｂのバックライトのターンオン時間を調節して順次駆動する方式である。すなわち，１フレームを３つのサブフレームに分割して，３つのサブフレームの動作中，第１のサブフレームではＲバックライトを駆動し，第２のサブフレームではＧバックライトを駆動し，第３のサブフレームではＢバックライトを駆動してカラーイメージを表現する。
【０００３】
フィールド順次駆動方式を利用した液晶表示装置は，図に示されてないが，薄膜トランジスタが形成されたＴＦＴ基板である下部基板と，上記ＴＦＴ基板に対向して配列された対向基板である上部基板およびこれらの基板間に液晶が注入された構造を有する。上記対向基板は，すべての画素に共通電圧（Ｖｃｏｍ）を供給するための共通電極を備えており，該共通電極はＩＴＯ（Ｉｎｄｉｕｍ  Ｔｉｎ  Ｏｘｉｄｅ：酸化インジウムスズ）のような透明導電膜からなり，全面電極の形態を有する。
【０００４】
液晶は，物質の特性上，同一極性の電圧により連続して駆動すると液晶の劣化が早くなるので，反対極性を有する電圧を交互に供給して駆動する必要がある。このような駆動方式におけるコラム駆動方式では，走査信号が供給されるゲートラインに配列された複数の液晶セルにおいて隣接するセル間には互いに異なる極性を有する駆動電圧が供給され，データ信号が供給されるソースラインに配列された複数の液晶セルの中で隣接するセル間には同一極性を有する駆動電圧が供給される。
【０００５】
従って，図１Ａおよび図１Ｂに示したように，各フレームで複数の行（ｒｏｗ）の中で隣接する行に配列される液晶セルには，同一極性の駆動電圧を供給し，複数の列（ｃｏｌｕｍｎ）の中で隣接する列に配列された液晶セルには，互いに反対極性を有する駆動電圧を供給する。このようにコラム駆動方式は，列単位で液晶を反転駆動する方式である。
【０００６】
図２Ａおよび図２Ｂは，従来のフィールド順次駆動方式の液晶表示装置において，コラム反転駆動の際に液晶に供給される駆動電圧の信号波形図を示すものである。図２Ａおよび図２Ｂは，画面の所定領域にブラックバー１２（図３参照）を表示するために供給される駆動電圧に対する信号波形図を示している。
【０００７】
図２Ａは，任意の１フレームにおける，複数のソースライン（データライン）中の任意のソースライン（データライン），例えば，ｉ番目フレームの奇数番目のソースライン（データライン）に供給される駆動電圧の信号波形図を示している。図２Ｂは，任意の１フレームにおける，複数のソースライン（データライン）中の任意のソースライン（データライン），例えば，ｉ番目フレームの偶数番目ソースライン（データライン）に供給される駆動電圧の信号波形図を示している。
【０００８】
図２Ａを参照すると，ｉ番目フレームのＲ，Ｇ，Ｂのサブフレームにおいて，奇数番目のソースラインに配列された画素の液晶駆動用薄膜トランジスタのソース電極に印加される各ソース電圧（Ｖｓ）は，極性の反転なしに同一極性を維持し，上部基板上に形成された共通電極に印加される共通電圧（Ｖｃｏｍ）は，その極性が反転されて印加される。
【０００９】
すなわち，奇数番目のソースラインに配列されている画素の共通電極には，ｉ番目フレームの中にＲサブフレームでは（−）極性を有する共通電圧（Ｖｃｏｍ）が供給され，Ｇサブフレームでは（＋）極性を有する共通電圧（Ｖｃｏｍ）が供給され，Ｂサブフレームで（−）極性を有する共通電圧（Ｖｃｏｍ）が供給される。
【００１０】
図２Ｂを参照すると，ｉ番目フレームのＲ，Ｇ，Ｂのサブフレームにおいて，偶数番目のソースラインに配列された画素の液晶駆動用薄膜トランジスタのソース電極に印加される各ソース電圧（Ｖｓ）は，極性の反転なしで同一極性を維持し，上部基板上に形成された共通電極に印加される共通電圧（Ｖｃｏｍ）は，その極性が互いに反転され，また奇数番目のソースラインに配列された画素に供給される共通電圧とは反対の極性を有する。
【００１１】
従って，奇数番目のソースラインに配列された画素の共通電極には，ｉ番目フレームの中，Ｒサブフレームでは（＋）極性を有する共通電圧（Ｖｃｏｍ）が供給され，Ｇサブフレームでは（−）極性を有する共通電圧（Ｖｃｏｍ）が供給され，Ｂサブフレームでは（＋）極性を有する共通電圧（Ｖｃｏｍ）が供給される。
【００１２】
図２ＡにおけるＲ２は，図３に示したようなブラックバーパターンを表示するために，ｉ番目フレームの奇数番目のソースラインＳ３に配列された複数の液晶セルのゲートラインＧ３−Ｇ５に配列された液晶セルに供給されるソース電圧の信号波形に対応している。また，Ｒ１は，Ｓ３のゲートラインＧ１，Ｇ２に配列された液晶セルに供給されるソース電圧の信号波形に対応し，Ｒ３はゲートラインＧ６，Ｇ７に配列された液晶セルに供給されるソース電圧の信号波形にそれぞれ対応する。
【００１３】
一方，図２ＢにおけるＲ２は，図３に示したようなブラックバーパターンを表示するために，ｉ番目フレームの偶数番目のソースラインＳ４に配列された複数の液晶セルのゲートラインＧ３−Ｇ５に配列された液晶セルに供給されるソース電圧の信号波形に対応している。また，Ｒ１は，Ｓ４のゲートラインＧ１，Ｇ２に配列された液晶セルに供給されるソース電圧の信号波形に対応し，Ｒ３はゲートラインＧ６，Ｇ７に配列された液晶セルに供給されるソース電圧の信号波形にそれぞれ対応する。
【００１４】
従って，従来のコラム反転駆動方式では，同一フレーム内で，各Ｒ，Ｇ，Ｂのサブフレーム毎の奇数番目のソースラインに配列された画素と偶数番目のソースラインに配列された画素とに供給するソース電圧を同一極性に維持しつつ，奇数番目のソースラインの相互極性を反転させることによって図１Ａおよび図１Ｂのようにコラム反転を実施している。
【００１５】
上述のような方式におけるコラム反転駆動の際に，ＴＦＴが配列された下部基板のデータライン，すなわちソースラインと，対向基板である上部基板に形成された共通電極との間に，垂直方向のキャパシタンスが生じる。かかるキャパシタンスによって，各サブフレームのデータ信号のレベル，すなわちソース電圧のレベルがローレベルからハイレベル，またはハイレベルからローレベルに遷移されるときに，共通電圧上にグリッチが発生する。
【００１６】
従来のコラム反転駆動方式では，図２Ａおよび図２Ｂに示すように，同一フレームの各Ｒ，Ｇ，Ｂのサブフレーム毎に奇数番目のソースラインと偶数番目のソースラインに供給されるソース電圧の極性を変化させないで，共通電圧の極性だけを反転していた。従って，奇数番目のゲートラインでソース電圧のレベルが変動されるたびに発生するグリッチ（ａ１，ｂ１）と偶数番目のゲートラインでソース電圧のレベルが変動されるたびに発生するグリッチ（ａ２，ｂ２）は同一極性を有する。この同一フレーム内における偶数番目のゲートラインと奇数番目のゲートラインで発生するグリッチによって，図３のようになった場合，ソースライン方向，すなわちゲートラインスキャン方向にクロストークが発生し，画質低下を招く問題点があった。
【００１７】
図３は，従来のフィールド順次駆動方式の液晶表示装置におけるクロストークを説明するための説明図である。この図３では，画面の所定領域にブラックバーパターン（ｂｌａｃｋ  ｂａｒ  ｐａｔｔｅｒｎ）が表示されている。図３における隣接領域にそれぞれのホワイトバー（ｗｈｉｔｅ  ｂａｒ）とブラックバー（ｂｌａｃｋ  ｂａｒ）を表示しょうとする場合，クロストークが発生する。ここで，斜線部１１は，一つの画素を示す。
【００１８】
６×７のノーマリーホワイトモードの液晶表示装置において，画面１０の所定領域にブラックバー１２が表示され，かつ，ソースライン方向，すなわち矢印で示したゲートラインスキャン方向の，上記ブラックバー１２に隣接したパターンがホワイトバーパターン１４である場合，上述したキャパシタンスカップリングによって供給電圧に発生するグリッチの影響で，液晶セルに印加される共通電圧（Ｖｃｏｍ）とソース電圧（Ｖｓ）との電位差は相対的に大きくなる。
【００１９】
これによって，上記ホワイトバーパターン１４の位置にある液晶セルに印加される駆動電圧のレベルは，本来の供給されるべきホワイトバーパターンの駆動電圧よりも相対的に大きくなり，その透過度が低くなる。このクロストークによって，ホワイトバーパターン１４が本来の純粋なホワイトよりも暗いホワイト（ｄａｒｋ  ｗｈｉｔｅ）で表示されるという問題点があった。
【００２０】
一方，ブラックバー１２に対して，ソースライン方向であるゲートラインスキャン方向に隣接したパターンがブラックバーパターン１３であった場合，上記キャパシタカップリングにより供給電圧に発生するグリッチによって，液晶セルに印加される共通電圧とソース電圧（Ｖｓ）との差は相対的に小さくなる。
【００２１】
このような場合，ブラックバーパターン１３に位置する液晶セルに印加される駆動電圧のレベルは本来のレベルより低くなり，透過度は高くなる。このクロストークによって，ブラックバーパターン１３は，本来の純粋なブラックよりも明るいブラック（ｌｉｇｈｔｌｙ  ｂｌａｃｋ）が表示されてしまう。
【発明の開示】
【発明が解決しようとする課題】
【００２２】
本発明は，従来のコラム反転駆動方式が有する上記問題点に鑑みてなされたものであり，本発明の目的は，キャパシタカップリングによるクロストークを防ぎ，画質を改善することが可能な，新規かつ改良された液晶表示装置およびその駆動方法を提供することである。
【課題を解決するための手段】
【００２３】
上記課題を解決するために，本発明のある観点によれば，複数の行と列に配列され，それぞれが第１電極と，第２電極と，第１電極と第２電極との間の液晶とを備える複数の画素を含む液晶表示装置の駆動方法であって：上記複数の画素の中から，奇数番目の列に配列された画素の第１電極と偶数番目の列に配列された画素の第１電極には，互いに反対極性を有する電圧信号が供給され，上記複数の画素の中から，奇数番目の列に配列された画素の第２電極と偶数番目の列に配列された画素の第２電極には，同一極性の電圧信号が供給され，上記複数の画素は，上記第１および第２電極に供給される電圧信号によって一定区間の間に列単位で反転駆動されることを特徴とする，液晶表示装置の駆動方法が提供される。
【００２４】
上記一定区間は，１フレームであり，上記１フレームの間に，奇数番目の列に配列された画素の第１電極と偶数番目の列に配列された画素の第１電極には，互いに反対極性を有するデータ電圧が供給され，奇数番目の列および偶数番目の列に配列された画素の第２電極には，直流レベルの共通電圧が供給されるとしても良い。
【００２５】
上記一定区間は１フレームであり，該１フレームは少なくとも２以上のフィールドに分割され，上記１フィールドの間に，奇数番目の列に配列された画素の第１電極と偶数番目の列に配列された画素の第１電極には，互いに反対極性を有する電圧信号が供給され，奇数番目の列および偶数番目の列に配列された画素の第２電極には，同一極性を有する電圧信号が供給されるとしても良い。
【００２６】
上記奇数番目の列および偶数番目の列に配列された画素の第２電極に供給される同一極性を有する電圧信号は，直流レベルの共通電圧であるとしても良い。
【００２７】
隣接する２つのフィールドで同一の奇数番目の列，または同一の偶数番目の列に配列された画素は，第１電極に互いに反対極性を有するデータ電圧が供給され，同一の奇数番目の列，または偶数番目の列に配列された画素の第２電極には，直流レベルの共通電圧が供給されるとしても良い。
【００２８】
上記複数の画素は，Ｒ，Ｇ，ＢまたはＷから選択された複数の色で実現されるとしても良い。
【００２９】
隣接する２つのフィールドで同一の奇数番目の列，または同一の偶数番目の列に配列された画素は，第１電極に互いに反対極性を有する電圧信号が供給され，第２電極に同一極性の電圧信号が供給されるとしても良い。
【００３０】
上記一定区間は１フレームであり，該１フレームは少なくとも二つ以上のサブフレームに分割され，上記１サブフレームの間に，複数の画素の中から奇数番目の列に配列された画素の電極第１電極と偶数番目の列に配列された画素の第１電極には，互いに反対極性を有する電圧信号が供給され，奇数番目の列および偶数番目の列に配列された画素の第２電極には，同一極性の電圧信号が供給され，上記複数の画素は，上記第１電極と第２電極に供給される電圧信号によって各サブフレームことに列単位で反転駆動されるとしても良い。
【００３１】
上記奇数番目の列および偶数番目の列に配列された画素の第２電極に供給される同一極性を有する電圧信号は，直流レベルの共通電圧であるとしても良い。
【００３２】
上記複数の画素は，Ｒ，Ｇ，ＢまたはＷから選択された複数の色で実現されるとしても良い。
【００３３】
上記課題を解決するために，本発明の他の観点によれば，複数の列と列に配列され，それぞれの第１電極と，第２電極と，第１電極と第２電極との間の液晶とを含み，１フレームを構成する複数のサブフレーム毎に順に駆動される複数の画素を備え，各画素は，サブフレーム毎に該当する一つの色を表示し，１フレームの間に所定の色を表現する液晶表示装置の駆動方法であって：同一の奇数番目の列，または同一の偶数番目の列に配列された画素は，第１電極に隣接したサブフレーム間で，互いに反対極性を有する電圧信号が供給され，第２電極に同一レベルを有する電圧信号が供給され，奇数番目の列に配列された画素と偶数番目の列に配列された画素は，第１電極に同一サブフレーム内で互いに反対極性を有する電圧信号が供給され，第２電極に同一レベルの電圧信号が供給されることを特徴とする，液晶表示装置の駆動方法が提供される。
【００３４】
同一のサブフレーム内に，上記奇数番目の列および偶数番目の列に配列された画素の第２電極に供給される同一極性を有する電圧信号は，直流レベルの共通電圧であるとしても良い。
【００３５】
隣接したサブフレームで，同一の奇数番目の列に配列された画素の第１電極，または同一の偶数番目の列に配列された画素の第２電極に供給される同一レベルを有する電圧信号は，直流レベルの共通電圧であるとしても良い。
【００３６】
複数の画素は，１サブフレームの間に，Ｒ，Ｇ，ＢまたはＷから選択された複数の色で実現されるとしても良い。
【００３７】
上記課題を解決するために，本発明の他の観点によれば，複数の列と列に配列され，それぞれは第１電極，第２電極および第１電極と第２電極との間の液晶を備え，それぞれ一定区間の間に所定の色を表現する複数の画素を含む液晶表示装置の駆動方法であって：
上記一定区間は，Ｒ色を表示するためのＲサブフレーム，Ｇ色を表示するためのＧサブフレーム，Ｂ色を表示するためのＢサブフレームを備え，Ｒ，Ｇ，Ｂのサブフレーム毎に上記複数の画素の中から奇数番目の列に配列された画素の第１電極と偶数番目の列に配列された画素の第１電極には，互いに反対極性を有するＲ，Ｇ，Ｂのデータ電圧が供給され，
Ｒ，Ｇ，Ｂのサブフレーム毎に上記奇数番目の列に配列された画素の第２電極と偶数番目の列に配列された画素の第２電極には，同一レベルの直流共通電圧が供給され，上記複数の画素は，サブフレーム毎に第１電極に供給されるＲ，Ｇ，Ｂのデータ電圧と第２電極に供給される共通電圧によって列単位で反転駆動されることを特徴とする，液晶表示装置の駆動方法が提供される。
【００３８】
隣接したサブフレームで，同一の奇数番目の列に配列された画素の第１電極，または同一の偶数番目の列に配列された画素の第１電極には，互いに反対極性を有するＲ，Ｇ，Ｂのデータ電圧の中から該当するデータ電圧が供給され，第２電極には直流レベルの共通電圧が供給されるとしても良い。
【００３９】
上記課題を解決するために，本発明の他の観点によれば，複数の列と列に配列された複数の画素を含み，上記複数の画素は，それぞれの下部基板上に配列された第１電極と，上部基板上に形成された第２電極と，上記上，下部基板との間の液晶を備える複数の液晶セルと，上記複数の液晶セルを駆動するための少なくともソース／ドレイン電極を備えるスイッチングトランジスタと，を含み，上記液晶セルの第１電極は，上記スイッチングトランジスタのソース／ドレイン電極のいずれか一方に接続され，上記第２電極は，上記上部基板上に前面電極形態に形成され，同一のサブフレーム内で上記複数の液晶セルの中から奇数番目の列に配列された液晶セルの第１電極と偶数番目の列に配列された液晶セルの第１電極には，互いに反対極性を有する電圧信号が供給され，第２電極には同一極性を有する電圧信号が供給され，上記複数の液晶セルは，サブフレーム毎に第１電極と第２電極に供給される電圧信号によって列単位で反転駆動されることを特徴とする，液晶表示装置が提供される。
【００４０】
上記同一のサブフレーム内で，上記奇数番目の列および偶数番目の列に配列された画素の第２電極に供給される同一極性を有する電圧信号は，直流レベルの共通電圧であるとしても良い。
【００４１】
隣接するサブフレームで，複数の画素の中から奇数番目の列に配列された画素，または偶数番目の列に配列された画素は，第１電極に互いに反対極性を有するデータ電圧が供給され，第２電極に同一レベルの直流共通電圧が供給されるとしても良い。
【発明の効果】
【００４２】
以上説明したように本発明によるフィールド順次駆動方式の液晶表示装置は，１フレームを構成するサブフレーム内で，奇数番目のデータラインと偶数番目のデータラインから発生するグリッチの極性を反転させることによって，キャパシタンスカップリングによるグリッチを相殺し，クロストークの発生を防止する。これにより画質を改善することができる。
【発明を実施するための最良の形態】
【００４３】
以下に添付図面を参照しながら，本発明の好適な実施の形態について詳細に説明する。なお，本明細書および図面において，実質的に同一の機能構成を有する構成要素については，同一の符号を付することにより重複説明を省略する。
【００４４】
図４は，本発明の実施の形態に係るカラーフィールド順次駆動方式を利用した液晶表示装置の概略的な回路構成図を示している。
【００４５】
図４を参照すると，本実施形態のカラーフィールド順次駆動方式の液晶表示装置２０は，液晶パネル１００と，ゲート（走査）ライン駆動部１１０，データライン駆動部１２０とを含んで構成される。上記液晶パネル１００は，複数のゲートライン１１１−１〜１１１−ｎと，複数のデータライン１２１−１〜１２１−ｎと，共通電源ライン１３１−１〜１３１―ｎとに接続される複数の画素１０１を備える。
【００４６】
上記各画素１０１は，複数のゲートライン１１１−１〜１１１−ｎのいずれか一つのゲートラインに接続され，複数のデータライン１２１−１〜１２１−ｍのいずれか一つのデータラインからのデータ信号を伝送するスイッチングトランジスタ（Ｔ）と，上記スイッチングトランジスタ（Ｔ）によって伝送されるＲ，Ｇ，Ｂデータ電圧（Ｖｓ）と，複数の共通電源ライン１３１−１〜１３１−ｎのいずれか一つの共通電源ラインから伝送される共通電圧（Ｖｃｏｍ）とが両端に印加される液晶セル（Ｃｌｃ）と，スイッチングトランジスタ（Ｔ）によって液晶セル（Ｃｌｃ）に印加されるデータ信号（Ｖｓ）を貯蔵する貯蔵キャパシタ（Ｃｓｔ）とを備える。
【００４７】
上記ゲートライン駆動部１１０は，液晶パネル１００の複数のゲートライン１１１−１〜１１１―ｎに該当するゲート信号（Ｇ１−Ｇｎ）を供給するためのものであり，上記データライン駆動部１２０は，液晶パネル１００の複数のデータライン１２１−１〜１２１−ｎに該当するＲ，Ｇ，Ｂのデータ信号（Ｖｓ）を順に供給するためのものである。また，各画素には共通電圧発生回路（図示せず）から複数の共通電圧供給ライン１３１−１〜１３１−ｎによって共通電圧（Ｖｃｏｍ）が供給される。
【００４８】
図５は，本発明の実施の形態に係るカラーフィールド順次駆動方式の液晶表示装置の断面構造を概略的に示した断面図である。ここでは，理解を容易にするため，複数ある行または列の中から一つの行または列に配列される画素を挙げて説明する。
【００４９】
図５を参照すると，本発明の実施の形態に係る液晶表示装置は，下部基板２１０と，上部基板２２０と，該上，下部基板２２０，２１０の間に介在された液晶３００とを備える。上記下部基板２１０は，スイッチング薄膜トランジスタ２１１と，該スイッチング薄膜トランジスタ２１１のソース／ドレイン電極のいずれか一方の電極に接続される画素電極２１２とを備える。上記上部基板２２０は，全面電極形態で形成された共通電極２２１を備える。また，上，下部基板２２０，２１０には，それらの間に介在された液晶３００を一定方向に配向させるための上部配向膜２２２と下部配向膜２１３とが各々設けられる。
【００５０】
図５のスイッチングトランジスタ２１１は，図４のスイッチングトランジスタ（Ｔ）に対応し，上記液晶セル（Ｃｌｃ）および貯蔵キャパシタ（Ｃｓｔ）の第１電極は，上記スイッチングトランジスタ２１１に接続された画素電極２１２に対応し，上記液晶セル（Ｃｌｃ）および貯蔵キャパシタ（Ｃｓｔ）の第２電極は，上記上部基板２２０上に形成される共通電極２２１に対応する。上記画素電極２１２および共通電極２２１は，ＩＴＯ（Ｉｎｄｉｕｍ  Ｔｉｎ  Ｏｘｉｄｅ：酸化インジウムスズ）等のような透明導電膜からなる。
【００５１】
上述したような構成を有する本実施形態のフィールド順次駆動方式による液晶表示装置の動作を図６Ａおよび図６Ｂに示された信号波形図を参照して説明すると次のようである。
【００５２】
図６Ａは，ｉ番目のフレームで，奇数番目のデータラインに配列された画素に印加される駆動信号の波形図を示すものである。図６Ａにおいて第２電極である共通電極２２１に印加される共通電圧（Ｖｃｏｍ）は，１フレームに連続して同一レベルの直流電圧が供給される。このようにして，奇数番目のソースラインに配列された画素の第２電極に供給される共通電圧は，同一フレーム内の各Ｒ，Ｇ，Ｂのサブフレームを通じて，同一レベルの直流電圧となる。
【００５３】
一方，上記画素の第１電極である画素電極２１２に印加されるデータ電圧（Ｖｓ）は，１フレームの各Ｒ，Ｇ，Ｂのサブフレーム毎に互いに異なる極性を有する電圧が供給される。例えば，Ｒ色を具現するためのＲサブフレームではポジティブ極性（＋）のデータ電圧（Ｖｓ）が供給され，Ｇ色を具現するためのＧサブフレームでは上記Ｒサブフレームで供給されるデータ電圧（Ｖｓ）とは反対極性を有するデータ電圧，即ち，ネガティブ極性（−）のデータ電圧（Ｖｓ）が供給される。また，Ｂサブフレームでは上記Ｇサブフレームで供給されるデータ電圧（Ｖｓ）とは反対極性を有するデータ電圧であるポジティブ極性（＋）のデータ電圧（Ｖｓ）が供給される。
【００５４】
図６Ｂは，ｉ番目のフレームで，偶数番目のデータライン（ソースライン）に配列された画素に印加される駆動信号の波形図を示すものである。図６Ｂにおいて第２電極である共通電極２２１に印加される共通電圧（Ｖｃｏｍ）は，１フレームに連続して同一レベルの直流電圧が供給される。このようにして，偶数番目のソースラインに配列された画素の第２電極に供給される共通電圧は，同一フレーム内の各Ｒ，Ｇ，Ｂのサブフレーム通じて，同一レベルの直流電圧となる。
【００５５】
一方，上記画素の第１電極である画素電極２１２に印加されるデータ電圧（Ｖｓ）は，１フレームの各Ｒ，Ｇ，Ｂのサブフレーム毎に互いに異なる極性を有する電圧が供給される。例えば，Ｒ色を具現するためのＲサブフレームではネガティブ極性（−）のデータ電圧（Ｖｓ）が供給され，Ｇ色を具現するためのＧサブフレームでは上記Ｒサブフレームで供給されるデータ電圧（Ｖｓ）とは反対極性を有するデータ電圧，即ち，ポジティブ極性（＋）のデータ電圧（Ｖｓ）が供給される。また，Ｂサブフレームでは上記Ｇサブフレームで供給されるデータ電圧（Ｖｓ）とは反対極性を有するデータ電圧であるネガティブ極性（−）のデータ電圧（Ｖｓ）が供給される。
【００５６】
従って，図６Ａおよび図６Ｂに示したように，任意の１フレームの中の，例えば，Ｒサブフレームにおいて，奇数番目のデータラインに配列された画素と偶数番目のデータラインに配列された画素は，第２電極に同一レベルの直流電圧である共通電圧（Ｖｃｏｍ）が供給され，第１電極に互いに反対極性を有するデータ電圧（Ｖｓ）が供給される。Ｇサブフレームのおいても，奇数番目のデータラインに配列された画素と偶数番目のデータラインに配列された画素は，第２電極に同一レベルの直流電圧である共通電圧（Ｖｃｏｍ）が供給され，第１電極に互いに反対極性を有するデータ電圧（Ｖｓ）が供給される。同様に，Ｂサブフレームにおいても，奇数番目のデータラインに配列された画素と偶数番目のデータラインに配列された画素は，第２電極に同一レベルの直流電圧である共通電圧（Ｖｃｏｍ）が供給され，第１電極に互いに反対極性を有するデータ電圧（Ｖｓ）が提供される。
【００５７】
従って，奇数番目のデータラインに配列された画素と，偶数番目のデータラインに配列された画素の第２電極には，Ｒ，Ｇ，Ｂのサブフレームを備えた１フレーム内において全て同一レベルの直流電圧である共通電圧（Ｖｃｏｍ）が供給される。また，奇数番目のデータラインに配列された画素の第１電極および偶数番目のデータラインに配列された画素の第１電極には，１フレームのＲ，Ｇ，Ｂのサブフレーム毎に互いに反対極性を有するデータ電圧（Ｖｓ）が供給される。結果的に，奇数番目のデータラインに配列された画素と偶数番目のデータラインに配列された画素は，１フレームのＲ，Ｇ，Ｂサブフレーム毎に互いに反対極性を有するデータ電圧が供給されるだけでなく，同一サブフレーム内でも互いに反対極性を有するデータ電圧が供給され，列単位でデータ電圧の極性を反転させて駆動するコラム反転を実現する。
【００５８】
本発明の実施の形態では，任意の１フレーム（ｉ番目のフレーム）のＲ，Ｇ，Ｂのサブフレームにおける奇数番目のデータラインと偶数番目のデータラインに配列された画素に同一レベルを有する直流電圧が共通電圧として供給され，互いに反対極性を有する交流電圧がデータラインの電圧として供給される。このように列単位に反転駆動させることによって，データ電圧が，ハイレベルからローレベル，またはローレベルからハイレベルに遷移する度にキャパシタンスカップリングにより発生するグリッチの極性が，奇数番目の配列された画素と偶数番目のデータラインに配列された画素で互いに反対となる。従って，１フレームまたは１サブフレームで考えると，共通電圧においてグリッチが相殺される効果を得られ，ゲートラインスキャン方向にクロストークが生じるのを防止できる。
【００５９】
図７は，本発明の実施の形態に係る液晶表示装置をコラム反転駆動方式に駆動する場合にクロストークが発生しないことを説明するための図面である。
【００６０】
図７を参照すると，６×７のノーマリーホワイトモードの液晶表示装置において，画面の所定領域にブラックバー２２が表示され，かつ，ソースライン方向，すなわち，矢印で示したゲートラインスキャン方向の上記ブラックバー２２に隣接したパターン２４がホワイトバーパターンである場合，キャパシタンスカップリングによって共通電圧にグリッチが発生しても上述で説明したように奇数番目と偶数番目のデータラインの画素に印加される共通電圧に発生するグリッチの極性が互いに反対になり，相殺される。従って，ホワイトバーパターン２４に対応する画素には，本来のホワイトバーパターンを具現するための駆動電圧が供給され，望ましいホワイトバーパターンを表現することができる。
【００６１】
一方，データライン方向であるゲートラインのスキャン方向の，上記ブラックバー２２に隣接したパターン２３がブラックバーパターンである場合にキャパシタンスカップリングによって共通電圧にグリッチが発生したとしても，上述で説明したように奇数番目と偶数番目のデータラインの画素に印加される共通電圧に発生するグリッチの極性が互いに反対になって相殺される。従って，ブラックバーパターン２３に対応する画素には，本来のブラックバーパターンを具現するための駆動電圧が供給されるので，好むブラックバーパターンを表現することができる。
【００６２】
本発明の実施の形態は，フィールド順次駆動方式の液晶表示装置に関して説明したが，偶数番目のデータラインと奇数番目のデータラインに配列された画素で発生するキャパシタンスカップリングによるグリッチによって，ゲートラインのスキャン方向にクロストークが発生し得る全ての液晶表示装置に対して適用される。また，Ｒ（ｒｅｄ），Ｇ（ｇｒｅｅｎ），Ｂ（ｂｌｕｅ），またはＷ（ｗｈｉｔｅ）色の単一，または二つ以上の色を駆動する表示装置にも適用される。
【００６３】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００６４】
本発明は，本発明は，コラム反転駆動方式を利用した液晶表示装置にかかり，さらに詳細には，キャパシタカップリングによるクロストークを改善可能なフィールド順次駆動方式の液晶表示装置およびそれを駆動する方法に適用可能である。
【図面の簡単な説明】
【００６５】
【図１Ａ】フィールド順次駆動方式の液晶表示装置において，コラム反転駆動の際に隣接したフレームで液晶パネル上の液晶セルに印加する駆動電圧を示す図である。
【図１Ｂ】フィールド順次駆動方式の液晶表示装置において，コラム反転駆動の際に隣接したフレームで液晶パネル上の液晶セルに印加する駆動電圧を示す図である。
【図２Ａ】従来のフィールド順次駆動方式の液晶表示装置において，コラム反転駆動の際に任意の１フレーム内で液晶パネルの隣接した走査ラインに配列された液晶セルに印加する駆動電圧の信号波形図である。
【図２Ｂ】従来のフィールド順次駆動方式の液晶表示装置において，コラム反転駆動の際に任意の１フレーム内で液晶パネルの隣接した走査ラインに配列された液晶セルに印加する駆動電圧の信号波形図である。
【図３】従来のフィールド順次駆動方式の液晶表示装置において，コラム反転駆動の際に発生する水平クロストークを説明するための図である。
【図４】本発明の実施の形態に係るフィールド順次駆動方式の液晶表示装置の概略的な回路構成図である。
【図５】本発明の実施の形態に係るフィールド順次駆動方式の液晶表示装置の概略的な断面構造図である。
【図６Ａ】本発明の実施の形態に係るフィールド順次駆動方式の液晶表示装置において，コラム反転駆動の際に任意の１フレーム内で液晶パネルの隣接した走査ラインに配列された液晶セルに印加する駆動電圧の信号波形図である。
【図６Ｂ】本発明の実施の形態に係るフィールド順次駆動方式の液晶表示装置において，コラム反転駆動の際に任意の１フレーム内で液晶パネルの隣接した走査ラインに配列された液晶セルに印加する駆動電圧の信号波形図である。
【図７】本発明の実施の形態に係るフィールド順次駆動方式の液晶表示装置において，コラム反転駆動の際に水平クロストークが改善されたことを示す図である。
【符号の説明】
【００６６】
２０：液晶表示装置
１００：液晶パネル
１０１：画素
１１０：ゲートライン駆動部
１２０：データライン駆動部
２１０，２２０：下部および上部基板
２１１：薄膜トランジスタ
２１２：画素電極（第１電極）
２１３，２２２：下部および上部配向膜
２２１：共通電極（第２電極）
１１１−１〜１１１−ｎ：ゲートライン
１２１−１〜１２１−ｍ：データライン
１３１−１〜１３１−ｎ：共通電源ライン
Ｔ：スイッチングトランジスタ
Ｃｌｃ：液晶セル
Ｃｓｔ：貯蔵キャパシタ
【図１Ａ】
2005234544.tif 000003
【図１Ｂ】
2005234544.tif 000004
【図２Ａ】
2005234544.tif 000005
【図２Ｂ】
2005234544.tif 000006
【図３】
2005234544.tif 000007
【図４】
2005234544.tif 000008
【図５】
2005234544.tif 000009
【図６Ａ】
2005234544.tif 000010
【図６Ｂ】
2005234544.tif 000011
【図７】
2005234544.tif 000012